(57)【特許請求の範囲】
【請求項１】
公衆電話回線網を用いて電話回線通信することができるとともに、インターネット通信網を用いてインターネット通信することができ、予め定める情報を公衆電話回線網またはインターネット通信網に送信する通信装置であって、
送信先に対応する電話番号および電子メールアドレスを送信先毎に記憶する記憶手段と、
記憶手段に記憶された送信先のうち予め定める送信先を選択する選択手段と、
予め定める情報を公衆電話回線網に送信する電話回線通信手段と、
予め定める情報をインターネット通信網に送信するインターネット通信手段と、
公衆電話回線網に電話回線通信手段が閉結された第１回線状態とするか、公衆電話回線網から電話回線通信手段が開放された第２回線状態とするかを選択的に指示する指示手段と、
指示手段によって指示される回線状態に切換える回線状態切換手段と、
公衆電話回線網に対して電話回線通信手段が第１回線状態であるのか、第２回線状態であるのかを検出する回線状態検出手段と、
回線状態検出手段の検出結果に応答して、回線状態検出手段が第１回線状態であることを検出したときには、電話回線通信手段によって予め定める情報を選択手段によって選択された送信先に送信させ、回線状態検出手段が第２回線状態であることを検出したときには、インターネット通信手段によって予め定める情報を選択手段によって選択された送信先に送信させる制御手段とを含むことを特徴とする通信装置。
【請求項２】
前記指示手段は、操作スイッチであり、
前記回線状態検出手段は、操作スイッチが操作されたか否かを検出し、
前記回線状態切換手段は、前記回線状態検出手段によって操作スイッチが操作されたか否かが検出された検出結果に基づいて、第１回線状態のときに操作スイッチが操作されると、第１回線状態から第２回線状態に切換え、第２回線状態のときに操作スイッチが操作されると、第２回線状態から第１回線状態に切換えることを特徴とする請求項１記載の通信装置。
【請求項３】
親機と子機とを含み、
前記回線状態検出手段は、操作スイッチが操作されたか否かを検出する操作検出手段を含み、
親機は、無線通信可能な第１無線通信手段および前記回線状態切換手段を含み、
子機は、第１無線通信手段と無線通信可能な第２無線通信手段および操作検出手段を含み、
第２無線通信手段は、操作検出手段によって操作スイッチが操作されたか否かが検出された検出結果を第１無線通信手段に送信し、
前記回線状態切換手段は、第１無線通信手段によって受信した操作検出手段の検出結果を取得することを特徴とする請求項２記載の通信装置。
【請求項４】
前記指示手段は、ハンドセットと、ハンドセットを載置可能な載置部とを含み、
前記回線状態検出手段は、ハンドセットが載置部に載置されているか否かを検出し、
前記回線状態切換手段は、前記回線状態検出手段によってハンドセットが載置部に載置されているか否かが検出された検出結果に基づいて、ハンドセットが載置部に載置されているとき、第２回線状態とし、ハンドセットが載置部に載置されていないとき、第１回線状態とすることを特徴とする請求項１記載の通信装置。
【請求項５】
親機と子機とを含み、
前記回線状態検出手段は、ハンドセットが載置部に載置されているか否かを検出する載置検出手段を含み、
親機は、無線通信可能な第１無線通信手段および前記回線状態切換手段を含み、
子機は、第１無線通信手段と無線通信可能な第２無線通信手段および載置検出手段を含み、
第２無線通信手段は、載置検出手段によってハンドセットが載置部に載置されているか否かが検出された検出結果を第１無線通信手段に送信し、
前記回線状態切換手段は、第１無線通信手段によって受信した載置検出手段の検出結果を取得することを特徴とする請求項４記載の通信装置。
【発明の詳細な説明】
【技術分野】
【０００１】
本発明は、予め定める情報を公衆電話回線網またはインターネット通信網に送信するインターネットファクシミリ装置などの通信装置に関する。
【背景技術】
【０００２】
公衆回線網およびインターネットの２つの通信網のうち、いずれかを介してファクシミリ通信をすることのできるファクシミリ装置がある。従来の技術では、ファクシミリ装置の利用者は、２つの通信網のうち、いずれの通信網を介して画像情報を送信するかを予め送信先毎に登録しておく。これによってファクシミリ装置は、２つの通信網のうち予め登録された通信網を介して送信先に画像情報を送信する（たとえば特許文献１参照）。
【０００３】
【特許文献１】特開２００１−３５８８２２号公報
【発明の開示】
【発明が解決しようとする課題】
【０００４】
従来の技術では、２つの通信網のうちいずれかの通信網を介して画像情報を送信するためには、送信先毎にいずれかの通信網を介して画像情報を送信すべきかを予め登録しておかなければならないという問題が生じる。
【０００５】
また、予め登録した通信網に障害が発生したときなど、予め登録した通信網と異なる通信網を介して画像情報を送信先に送信したい場合には、予め登録した通信網を変更しなければならないという問題が生じる。
【０００６】
したがって本発明の目的は、公衆電話回線網とインターネット通信網とのうちいずれを介して予め定める情報を送信するかを簡易に選択することができ、選択した通信網を介して予め定める情報を送信する通信装置を提供することである。
【課題を解決するための手段】
【０００７】
本発明は、公衆電話回線網を用いて電話回線通信することができるとともに、インターネット通信網を用いてインターネット通信することができ、予め定める情報を公衆電話回線網またはインターネット通信網に送信する通信装置であって、
送信先に対応する電話番号および電子メールアドレスを送信先毎に記憶する記憶手段と、
記憶手段に記憶された送信先のうち予め定める送信先を選択する選択手段と、
予め定める情報を公衆電話回線網に送信する電話回線通信手段と、
予め定める情報をインターネット通信網に送信するインターネット通信手段と、
公衆電話回線網に電話回線通信手段が閉結された第１回線状態とするか、公衆電話回線網から電話回線通信手段が開放された第２回線状態とするかを選択的に指示する指示手段と、
指示手段によって指示される回線状態に切換える回線状態切換手段と、
公衆電話回線網に対して電話回線通信手段が第１回線状態であるのか、第２回線状態であるのかを検出する回線状態検出手段と、
回線状態検出手段の検出結果に応答して、回線状態検出手段が第１回線状態であることを検出したときには、電話回線通信手段によって予め定める情報を選択手段によって選択された送信先に送信させ、回線状態検出手段が第２回線状態であることを検出したときには、インターネット通信手段によって予め定める情報を選択手段によって選択された送信先に送信させる制御手段とを含むことを特徴とする通信装置である。
【０００８】
本発明に従えば、制御手段は、第１回線状態であるとき、電話回線通信手段によって予め定める情報を送信先に送信させ、第２回線状態であるとき、インターネット通信手段によって予め定める情報を送信先に送信させる。第１回線状態と第２回線状態とは、指示手段によって選択的に指示されて、回線状態切換手段によって前記指示手段が指示する回線状態に切換えることができる。したがって、第１回線状態と第２回線状態とを切換えることによって、公衆電話回線網およびインターネット通信網の２つの通信網のうちいずれか一方の通信網を選択し、選択した通信網を介して予め定める情報を送信することができる。これによって、送信先毎に予め定める情報を送信する通信網を予め登録していなくても、２つの通信網のうち、利用者が所望する通信網を介して予め定める情報を送信することができる。
【０００９】
また本発明は、前記指示手段は、操作スイッチであり、
前記回線状態検出手段は、操作スイッチが操作されたか否かを検出し、
前記回線状態切換手段は、前記回線状態検出手段によって操作スイッチが操作されたか否かが検出された検出結果に基づいて、第１回線状態のときに操作スイッチが操作されると、第１回線状態から第２回線状態に切換え、第２回線状態のときに操作スイッチが操作されると、第２回線状態から第１回線状態に切換えることを特徴とする。
【００１０】
本発明に従えば、操作スイッチが操作されると、操作スイッチが操作されたことを回線状態検出手段が検出し、この検出結果に基づいて、回線状態切換手段は、第１回線状態と第２回線状態とを切換える。つまり、操作スイッチが操作されると第１回線状態と第２回線状態とが切換わる。制御手段は、第１回線状態であるとき、電話回線通信手段によって予め定める情報を送信先に送信させ、第２回線状態であるとき、インターネット通信手段によって予め定める情報を送信先に送信させる。したがって、利用者は、操作スイッチを操作するという簡易な行為によって、公衆電話回線網およびインターネット通信網の２つの通信網のうち、所望する通信網を選択することができ、選択した通信網を介して予め定める情報を送信させることができる。
【００１１】
また本発明は、親機と子機を含み、
前記回線状態検出手段は、操作スイッチが操作されたか否かを検出する操作検出手段を含み、
親機は、無線通信可能な第１無線通信手段および前記回線状態切換手段を含み、
子機は、第１無線通信手段と無線通信可能な第２無線通信手段および操作検出手段を含み、
第２無線通信手段は、操作検出手段によって操作スイッチが操作されたか否かが検出された検出結果を第１無線通信手段に送信し、
前記回線状態切換手段は、第１無線通信手段によって受信した操作検出手段の検出結果を取得することを特徴とする。
【００１２】
本発明に従えば、操作スイッチが操作されると、操作スイッチが操作されたことを操作検出手段によって検出し、この検出結果を、第２無線通信手段は、無線通信によって第１無線通信手段に送信する。親機に含まれる回線状態切換手段は、子機から送られてきた操作検出手段の検出結果に基づいて、第１回線状態および第２回線状態のうちいずれか一方を、第１回線状態および第２回線状態のうちいずれか他方に切換える。操作検出手段によって操作スイッチが操作されたか否かが検出された検出結果は、無線通信によって第２無線通信手段から第１無線通信手段に送信されるので、利用者は、第１無線通信手段から離れた場所から第１回線状態と第２回線状態とを切換えることができる。制御手段は、第１回線状態であるとき、電話回線通信手段によって予め定める情報を送信させ、第２回線状態であるとき、インターネット通信手段によって予め定める情報を送信させる。したがって、利用者は、第１無線通信手段から離れた場所から、公衆電話回線網およびインターネット通信網の２つの通信網のうち、所望する通信網を選択することができ、選択した通信網を介して予め定める情報を送信させることができる。
【００１３】
また本発明は、前記指示手段は、ハンドセットと、
ハンドセットを載置可能な載置部とを含み、
前記回線状態検出手段は、ハンドセットが載置部に載置されているか否かを検出し、
前記回線状態切換手段は、前記回線状態検出手段によってハンドセットが載置部に載置されているか否かが検出された検出結果に基づいて、ハンドセットが載置部に載置されているとき、第２回線状態とし、ハンドセットが載置部に載置されていないとき、第１回線状態とすることを特徴とする。
【００１４】
本発明に従えば、回線状態切換手段は、前記回線状態検出手段の検出結果に基づいて、ハンドセットが載置部に載置されているとき、第２回線状態とし、ハンドセットが載置部に載置されていないとき、第１回線状態とする。ハンドセットが載置部に載置されているときとは、オンフック状態のことであり、ハンドセットが載置部に載置されていないときとは、オフフック状態のことである。したがって、利用者が、ハンドセットをオフフック状態にしておくと、第１回線状態となり、ハンドセットをオンフック状態にしておくと、第２回線状態となる。制御手段は、第１回線状態であるとき、電話回線通信手段によって予め定める情報を送信させ、第２回線状態であるとき、インターネット通信手段によって予め定める情報を送信させる。したがって、利用者は、ハンドセットをオンフック状態にするかオフフック状態にするかの簡易な行為によって、公衆電話回線網およびインターネット通信網の２つの通信網のうち、所望する通信網を選択することができ、選択した通信網を介して予め定める情報を送信させることができる。
【００１５】
また本発明は、親機と子機とを含み、
前記回線状態検出手段は、ハンドセットが載置部に載置されているか否かを検出する載置検出手段を含み、
親機は、無線通信可能な第１無線通信手段および前記回線状態切換手段を含み、
子機は、第１無線通信手段と無線通信可能な第２無線通信手段および載置検出手段を含み、
第２無線通信手段は、載置検出手段によってハンドセットが載置部に載置されているか否かが検出された検出結果を第１無線通信手段に送信し、
前記回線状態切換手段は、第１無線通信手段によって受信した載置検出手段の検出結果を取得することを特徴とする。
【００１６】
本発明に従えば、子機においてハンドセットが載置部に載置されているか否か、つまりオンフック状態かオフフック状態かを載置検出手段によって検出し、この検出結果を、第２無線通信手段は、無線通信によって第１無線通信手段に送信する。切換手段は、載置検出検出手段の検出結果に基づいて、子機がオフフック状態にあるときには第１回線状態とし、オンフック状態にあるときには第２回線状態とする。載置検出手段の検出結果は、無線通信によって第２無線通信手段から第１無線通信手段に送信されるので、利用者は、第１無線通信手段から離れた場所から第１回線状態および第２回線状態のうち、利用者の所望する回線状態とすることができる。制御手段は、第１回線状態であるとき、電話回線通信手段によって予め定める情報を送信させ、第２回線状態であるとき、インターネット通信手段によって予め定める情報を送信させる。したがって、利用者は、第１無線通信手段から離れた場所から、公衆電話回線網およびインターネット通信網の２つの通信網のうち、所望する通信網を選択することができ、選択した通信網を介して予め定める情報を送信させることができる。
【発明の効果】
【００１７】
本発明によれば、送信先毎に、予め定める情報を送信する通信網を予め登録していなくても、２つの通信網のうち利用者が所望する通信網を簡易に選択し、選択した通信網を介して予め定める情報を送信先に送信することができ、利用者の利便性を向上することができる。
【００１８】
また本発明によれば、利用者が操作スイッチを操作するという簡易な行為によって、公衆電話回線網およびインターネット通信網の２つの通信網のうち、利用者が所望する通信網を介して予め定める情報を送信先に送信することができ、利用者の利便性を向上することができる。
【００１９】
また本発明によれば、利用者は、第１無線通信手段から離れたところから、子機が有する操作スイッチを操作し、公衆電話回線網およびインターネット通信網の２つの通信網のうち、所望する通信網を選択し、選択した通信網を介して予め定める情報を送信先に送信させることができるので、利用者の利便性を向上することができる。
【００２０】
また本発明によれば、利用者は、ハンドセットをオンフック状態にするかオフフック状態にするかの簡易な行為によって、公衆電話回線網およびインターネット通信網の２つの通信網のうち、所望する通信網を選択し、選択した通信網を介して予め定める情報を送信させることができ、利用者の利便性を向上することができる。
【００２１】
また本発明によれば、利用者は、第１無線通信手段から離れたところから、子機のハンドセットをオンフック状態にするかオフフック状態にするかによって公衆電話回線網およびインターネット通信網の２つの通信網のうち、所望する通信網を選択し、選択した通信網を介して予め定める情報を送信させることができるので、利用者の利便性を向上することができる。
【発明を実施するための最良の形態】
【００２２】
図１は、本発明の実施の一形態の通信装置１の親機２の電気的な構成を示すブロック図である。図２は、本発明の実施の一形態の通信装置１の子機３の電気的な構成を示すブロック図である。通信装置１は、互いに無線通信を行う親機２および子機３を含んで実現される。
【００２３】
本実施の形態の通信装置１は、ファクシミリ通信機能、電話通信機能、コピー機能、スキャナ機能およびプリント機能などを有する複合機である。
【００２４】
通信装置１は、電話交換機と電気的に接続され、この電話交換機を介して公衆電話回線網に接続される。通信装置１は、公衆電話回線網を介して他の通信装置に予め定める情報を送信したり、公衆電話回線網を介して他の通信装置から送信される予め定める情報を受信する。また通信装置１は、ＬＡＮ（Local Area Network）ケーブルによってルータに接続される。通信装置１は、ルータを介してインターネット通信網に接続される。通信装置１は、インターネット通信網を介して他の通信装置に予め定める情報を送信したり、インターネット通信網を介して他の通信装置から送信される予め定める情報を受信する。
【００２５】
親機２と子機３とは、互いに無線通信可能である。子機３は、親機２を介して、他の通信装置と通信可能である。
【００２６】
親機２は、第１制御手段４、読取手段５、印字手段６、第１表示手段７、第１無線通信手段である第１コードレス通信手段１１、電話回線通信手段１２、インターネット通信手段１３、第１ハンドセット１４、第１ＲＯＭ（Read Only Memory）１５、記憶手段である第１ＲＡＭ（Random Access Memory）１６、第１入力手段１７、回線状態検出手段である第１センサ手段２１、タイマ手段２２、ファクシミリ制御手段２３、第１電源手段２４および第１バス２５を含んで実現される。
【００２７】
第１制御手段４は、第１中央処理装置（Central Processing Unit：略称ＣＰＵ）によって実現される。第１制御手段４、読取手段５、印字手段６、第１表示手段７、第１コードレス通信手段１１、電話回線通信手段１２、インターネット通信手段１３、第１ハンドセット１４、第１ＲＯＭ１５、第１ＲＡＭ１６、第１入力手段１７、第１センサ手段２１、タイマ手段２２およびファクシミリ制御手段２３は、それぞれ第１バス２５によって電気的に接続される。第１制御手段４は、第１ＲＯＭ１５に記憶された制御プログラムを、第１バス２５を介して読み出して実行し、読取手段５、印字手段６、第１表示手段７、第１コードレス通信手段１１、電話回線通信手段１２、インターネット通信手段１３、第１ハンドセット１４、第１ＲＯＭ１５、第１ＲＡＭ１６、第１入力手段１７、第１センサ手段２１、タイマ手段２２、ファクシミリ制御手段２３および第１電源手段２４を制御する。
【００２８】
第１ＲＯＭ１５は、不揮発性メモリによって実現される。第１ＲＯＭ１５には、第１制御手段４が読み出して実行する制御プログラムが記憶されている。
【００２９】
第１ＲＡＭ１６は、不揮発性メモリおよび揮発性メモリによって実現される。第１ＲＡＭ１６は、第１制御手段４の指令に基づいて、送信先の名前、電話番号および電子メールアドレスなどの宛先情報などを記憶する。また第１ＲＡＭ１６は、表示画面バッファおよびワークエリアメモリを含む。表示画面バッファは、ＶＲＡＭ（Video RAM）によって実現され、第１表示手段７に表示される画像情報を記憶する。ワークエリアメモリは、第１制御手段４が各手段などを制御するための情報などを一時的に記憶しておく。
【００３０】
第１バス２５は、アドレスバス、データバスおよび制御バスを含む導電性の信号線によって実現される。第１制御手段４は、第１バス２５を介して各手段に制御命令を表す電気信号を与える。
【００３１】
第１入力手段１７は、第１テンキー、設定情報を入力する第１設定入力キー、ファクシミリ通信を開始する指令を入力する第１通信開始キーおよび操作スイッチである第１フックボタンを含んで実現される。第１入力手段１７は、利用者によって第１テンキーなどが操作されると、この操作に対応した指令を第１制御手段４に与える。たとえば利用者が第１通信開始キーを押下げると、第１入力手段１７は、第１制御手段４にファクシミリ通信を開始する指令を与える。第１制御手段４は、この指令に基づいて、後述する電話回線通信手段１２またはＬＡＮ制御手段を制御して、送信先に画像情報を送信させる。また利用者が第１テンキーなどを操作することによって、宛先情報などを第１ＲＡＭ１６に記憶することができる。
【００３２】
第１センサ手段２１は、回線状態を検出する回線状態検出部２６、第１ハンドセット１４が第１載置部に載置されているか否かを検出する第１載置状態検出部２７および第１フックボタンが押下げられたか否かを検出する第１フックボタン検出部２８を含む。
【００３３】
回線状態検出部２６は、回線状態を検出する。具体的には、回線状態検出部２６は、公衆電話回線網に電話回線通信手段１２が閉結された第１回線状態であるか、公衆電話回線網から電話回線通信手段１２が開放された第２回線状態であるかを検出する。第１回線状態とは、より具体的には通信装置１と電話交換機との間に電流が流れている状態であり、第２回線状態とは、通信装置１と電話交換機との間に電流が流れていない状態である。なお、本実施の形態において第１回線状態を閉結状態と記載し、第２回線状態を開放状態と記載する場合がある。
【００３４】
回線状態検出部２６は、閉結状態であるか開放状態であるかを、通信装置１と電話交換機との間に電流が流れているか否かによって判断する。回線状態検出部２６は、フォトカプラを含んで実現され、通信装置１と電話交換機との間に電流が流れているか否かを検出する。フォトカプラは、光を発光する発光ダイオードと、発光ダイオードから発光した光を受光するフォトダイオードとを含んで構成される。発光ダイオードは、閉結状態のときに電流が流れる回路に設けられ、閉結状態のときに発光する。閉結状態のときに発光ダイオードが発光し、この光をフォトダイオードが受光することによって、回線状態検出部２６は、閉結状態であることを検出する。逆に、開放状態のときには、発光ダイオードは発光せず、フォトダイオードは発光ダイオードからの光を受光しないので、回線状態検出部２６は、開放状態であることを検出する。これによって、回線状態検出部２６は、閉結状態であるか開放状態であるかを検出する。回線状態検出部２６は、閉結状態から開放状態に変化したことを検出したとき、または閉結状態から開放状態に変化したことを検出したときに、検出結果を表す回線状態情報を第１バス２５を介して第１制御手段４に与える。第１制御手段４は、回線状態検出部２６から与えられる回線状態情報を第１ＲＡＭ１６に与え、第１ＲＡＭ１６に記憶させる。
【００３５】
第１載置状態検出部２７は、第１ハンドセット１４が第１載置部に載置されているか否かを検出する。なお、本実施の形態において、第１ハンドセット１４が第１載置部に載置されている状態を第１オンフック状態、第１ハンドセット１４が第１載置部に載置されていない状態を第１オフフック状態と記載する場合がある。第１載置状態検出部２７は、第１ハンドセット１４が第１載置部に載置されると電流が流れる回路と、この回路に流れる電流を検出する電流検出部とを含む。利用者が第１ハンドセット１４を操作し、第１載置部に第１ハンドセット１４を載置することによって、第１オフフック状態から第１オンフック状態に変化すると、第１載置状態検出部２７は、回路に流れる電流の変化を検出し、第１オフフック状態から第１オンフック状態に変化したことを検出する。また利用者が第１ハンドセット１４を操作し、第１載置部から第１ハンドセット１４を取り上げることによって、第１オンフック状態から第１オフフック状態に変化すると、第１載置状態検出部２７は、回路に電流が流れなくなったことを検出し、第１オンフック状態から第１オフフック状態に変化したことを検出する。第１載置状態検出部２７は、第１オンフック状態から第１オフフック状態に変化したこと、または第１オフフック状態から第１オンフック状態に変化したことを検出すると、この検出結果を表す第１フック状態情報を第１バス２５を介して第１制御手段４に与える。
【００３６】
第１フックボタン検出部２８は、第１フックボタンが押下げられたか否かを検出する。第１フックボタン検出部２８は、第１フックボタンが押下げられたときに電流が流れる回路と、この回路に流れる電流を検出する電流検出部とを含む。第１フックボタン検出部２８は、利用者が第１フックボタンを押下げることによって、回路に電流が流れると、この電流を検出して、第１フックボタンが押下げられたことを検出する。第１フックボタン検出部２８は、第１フックボタンが押下げられたことを検出すると、検出結果を表す第１フックボタン押下情報を第１バス２５を介して第１制御手段４に与える。
【００３７】
タイマ手段２２は、第１制御手段４が所定の命令を行った時刻から、予め定める時間が経過したときに、予め定める時間が経過したことを表す情報を第１制御手段４に与える。
【００３８】
ファクシミリ制御手段２３は、読取手段５によって生成された画像情報を、公衆電話回線網またはインターネット通信網を介して送信先に送信するデータに適した画像情報に変調し、公衆電話回線網またはインターネット通信網を介して受信した画像情報を、第１表示手段７または印字手段６によって可視表示するのに適した画像情報に復調する。
【００３９】
読取手段５は、ロッドレンズアレイおよびＣＣＤ（Charge Coupled Devices）イメージセンサを用いる密着センサ（Contact Image Sensor：略称ＣＩＳ）方式を用いて、原稿の画像を読み取り、画像情報を生成する。読取手段５によって生成される画像情報は、第１ＲＡＭ１６に記憶される。印字手段６は、公衆電話回線網またはインターネット通信網を介して受信した画像情報および読取手段５によって生成した画像情報などを、インクジェット方式を用いて紙に印刷する。
【００４０】
第１表示手段７は、第１制御手段４から与えられる制御指令に基づいて、待機状態を表す待機画面、宛先情報などを登録する登録設定画面、および送信先を選択する送信先選択画面などを表示する。第１表示手段７は、液晶表示パネルによって実現される。
【００４１】
第１コードレス通信手段１１は、子機３と無線通信を行う。第１コードレス通信手段１１は、子機３に予め定める情報を送信し、子機３から送信される予め定める情報を受信する。第１コードレス通信手段１１は、アンテナおよびチューナなどを含んで実現される。第１コードレス通信手段１１によって、音情報だけでなく、制御命令なども親機２と子機３との間で送受信される。
【００４２】
電話回線通信手段１２は、第１制御手段４の指令に基づいて開放状態と閉結状態とを切換える処理、電話通信の手順に従って、電話通信の処理などを行う。また電話回線通信手段１２は、国際電気通信連合（International Telecommunication Union：略称ＩＴＵ）の勧告に準拠したグループ３規格のファクシミリ伝送手順に従って、第１ＲＡＭ１６に記憶された画像情報を公衆電話回線網を介して送信先に送信したり、他の通信装置から公衆電話回線網を介して送信される画像情報を受信する処理を行う。回線状態切換手段および電話回線通信手段は、電話回線通信手段１２によって実現される。
【００４３】
インターネット通信手段１３は、予め定める情報を、所定のＬＡＮの規格に適した電気信号に変換し、変換した電気信号を、通信装置１とＬＡＮケーブルによって接続されたルータに与える。所定のＬＡＮの規格とは、ＯＳＩ（Open Systems Interconnection）参照モデルの第１および第２層の規格のことである。インターネット通信手段１３は、インターネットの通信プロトコルに従って、インターネット通信網を介して送信先に画像情報を電子メールに添付して送信したり、他の通信装置からインターネット通信網を介して送信される画像情報などを受信する。インターネット通信手段１３は、ネットワークインタフェースカード（Network Interface Card：略称ＮＩＣ）などによって実現される。
【００４４】
第１ハンドセット１４は、スピーカおよびマイクロホンによって実現される。スピーカは、第１制御手段４の制御指令に従って、公衆電話回線網を介して送信先から送信される音情報または無線通信によって子機３から送信される音情報を可聴情報として出力する。また、マイクロホンは、音情報を、音情報を表す電気信号に変換する。
【００４５】
第１電源手段２４は、商用交流電源から供給される交流電圧を整流して直流電圧に変換し、電力を親機２の各手段などに供給する。第１電源手段２４は、ＡＣ（Alternating
Current）−ＤＣ（Direct Current）コンバータを含んで実現される。
【００４６】
子機３は、第２制御手段１０４、第２ＲＯＭ１１５、記憶手段である第２ＲＡＭ１１６、第２入力手段１１７、第２センサ手段１２１、第２電源手段１２４、第２表示手段１０７、第２無線通信手段である第２コードレス通信手段１１１、第２ハンドセット１１４および第２バス１２５を含んで実現される。子機３は、親機２と同様の構成であるので、対応する部分に関しては重複する説明を省略する。
【００４７】
図２に示す第２制御手段１０４、第２ＲＯＭ１１５、第２ＲＡＭ１１６、第２入力手段１１７、第２センサ手段１２１、第２電源手段１２４、第２表示手段１０７、第２コードレス通信手段１１１、第２ハンドセット１１４および第２バス１２５は、図１に示す第１制御手段４、第１ＲＯＭ１５、第１ＲＡＭ１６、第１入力手段１７、第１センサ手段２１、第１電源手段２４、第１表示手段７、第１コードレス通信手段１１、第１ハンドセット１４および第１バス２５にそれぞれ対応する。
【００４８】
第２電源手段１２４は、２次電池によって実現され、電力を子機３の各手段などに供給する。第２電源手段１２４は、第２ハンドセット１１４がクレードルである第２載置部に載置されると充電される。
【００４９】
第２入力手段１１７は、第２テンキー、第２設定登録キー、第２通信開始キーおよび操作スイッチである第２フックボタンを含んで実現される。第２入力手段１１７は、利用者によって第２テンキーなどが操作されると、この操作に対応した指令を第２制御手段１０４に与える。第２制御手段１０４は、たとえば第２通信開始キーが押下げられたときには、第２コードレス通信手段１１１を制御して、第２通信開始キーが押下げられたことを表す情報を、無線通信によって親機２に送信する。選択手段は、第１入力手段１７および第２入力手段１１７によって実現される。
【００５０】
第２センサ手段１２１は、第２ハンドセット１１４が第２載置部に載置されているか否かを検出する第２載置状態検出部１２７と、第２フックボタンが押下げられたか否かを検出する第２フックボタン検出部１２８とを含む。
【００５１】
第２フックボタン検出部１２８は、第２フックボタンが押下げられたか否かを検出する。第２フックボタン検出部１２８は、第２フックボタンが押下げられたときに電流が流れる回路と、この回路に流れる電流を検出する電流検出部とを含む。利用者が第２フックボタンを押下げることによって、回路に電流が流れると、第２フックボタン検出部１２８は、この電流を検出して第２フックボタンが押下げられたことを検出する。第２フックボタン検出部１２８は、第２フックボタンが押下げられたことを検出すると、この検出結果を表す第２フックボタン押下情報を第２バス１２５を介して第２制御手段１０４に与える。
【００５２】
第２載置状態検出部１２７は、第２ハンドセット１１４が第２載置部に載置されているか否かを検出する。なお、本実施の形態において、第２ハンドセット１１４が第２載置部に載置されている状態を第２オンフック状態と記載し、第２ハンドセット１１４が第２載置部に載置されていない状態を第２オフフック状態と記載する場合がある。第２載置状態検出部１２７は、第２ハンドセット１１４が第２載置部に載置されると電流が流れる回路と、この回路に流れる電流を検出する電流検出部とを含む。利用者が第２ハンドセット１１４を操作し、第２載置部に第２ハンドセット１１４を載置することによって、第２オフフック状態から第２オンフック状態に変化すると、第２センサ手段１２１は、回路に流れる電流の変化を検出し、第２オフフック状態から第２オンフック状態に変化したことを検出する。また利用者が第２ハンドセット１１４を操作し、第２載置部から第２ハンドセット１１４を取り上げることによって、第２オンフック状態から第２オフフック状態に変化すると、第２載置状態検出部１２７は、回路に電流が流れなくなったことを検出し、第２オンフック状態から第２オフフック状態に変化したことを検出する。第２載置状態検出部１２７は、第２オンフック状態から第２オフフック状態に変化したこと、または第２オフフック状態から第２オンフック状態に変化したことを検出すると、この検出結果を表す第２フック状態情報を第２バス１２５を介して第２制御手段１０４に与える。
【００５３】
第２制御手段１０４は、第２センサ手段１２１から第２フックボタン押下情報または第２フック状態情報を含む検出結果を与えられると、第２コードレス通信手段１１１を制御して、無線通信によって親機２に第２センサ手段１２１の検出結果を送信する。
【００５４】
子機３から親機２に送信された第２センサ手段１２１の検出結果は、親機２の第１コードレス通信手段１１によって受信される。第１コードレス通信手段１１は、受信した第２センサ手段１２１の検出結果を第１バス２５を介して第１制御手段４に渡す。第１制御手段４は、与えられた第２センサ手段１２１の検出結果を第１ＲＡＭ１６に記憶させる。
【００５５】
次に、第１制御手段４が第１センサ手段２１および第２センサ手段１２１の検出結果に基づいて、電話回線通信手段１２を制御して開放状態から閉結状態に切換させる手順を説明する。なお、本実施の形態において、開放状態、かつ第１ハンドセット１４が第１オンフック状態、かつ第２ハンドセット１１４が第２オンフック状態のときを初期状態と記載する場合がある。
【００５６】
初期状態のときに、第１オフフック状態に変化する、または第２オフフック状態に変化する、または第１フックボタンが押下げられる、または第２フックボタンが押下げられると、第１制御手段４は、電話回線通信手段１２を制御して、開放状態から閉結状態に変化させる。第１制御手段４は、さらに、利用者がどの操作を行うことによって開放状態から閉結状態に変化させたかを表す切換情報を第１ＲＡＭ１６に記憶させる。具体的には、初期状態から、第１オフフック状態と変化したことによって、開放状態から閉結状態に変化させた場合には、第１制御手段４は、第１ＲＡＭ１６に切換情報として、第１ハンドセットを表す情報を記憶させる。また、初期状態から、第２オフフック状態に変化したことによって、開放状態から閉結状態に変化させた場合には、第１制御手段４は、第１ＲＡＭ１６に切換情報として、第２ハンドセット１１４を表す情報を記憶させる。また、初期状態から、第１フックボタンが押下げられたことによって、開放状態から閉結状態に変化させた場合には、第１ＲＡＭ１６に切換情報として、第１フックボタンを表す情報を記憶させる。また、初期状態から、第２フックボタンが押下げられたことによって、開放状態から閉結状態に変化させた場合には、切換情報として第２フックボタンを表す情報を記憶させる。
【００５７】
次に、第１制御手段４が第１センサ手段２１の検出結果、第２センサ手段１２１の検出結果および切換情報に基づいて、電話回線通信手段１２を制御して閉結状態から開放状態に切換させる手順を説明する。
【００５８】
第１制御手段４は、初期状態から、第１オフフック状態に変化したことによって、閉結状態にさせた場合には、第１オフフック状態から第１オンフック状態に変化したときにのみ閉結状態から開放状態に変化させる。つまり、初期状態から、第１オフフック状態に変化することによって閉結状態に変化させた場合には、閉結状態になった後にたとえば第１フックボタンが押下げられたとしても、第１制御手段４は、閉結状態から開放状態に変化させない。具体的には、第１制御手段４は、閉結状態のときに、第１オフフック状態から第１オンフック状態へと変化したことを表す情報を第１センサ手段２１から与えられると、第１ＲＡＭ１６に記憶された切換情報を読み出し、第１オフフック状態に変化することによって、初期状態から閉結状態にさせたと判断したときにのみ、閉結状態から開放状態に変化させる。また同様に、第１制御手段４は、初期状態から、第２オフフック状態に変化することによって、閉結状態にさせた場合には、第２オフフック状態から第２オンフック状態に変化したときにのみ閉結状態から開放状態に変化させる。また同様に、第１制御手段４は、初期状態から、第１フックボタンが押下げられたことによって、閉結状態にさせた場合には、再度第１フックボタンが押下げられたときにのみ閉結状態から開放状態に変化させる。また同様に、第１制御手段４は、初期状態から、第２フックボタンが押下げられたことによって、閉結状態にさせた場合には、再度第２フックボタンが押下げられたときにのみ閉結状態から開放状態に変化させる。
【００５９】
以上述べたように、利用者が第１ハンドセット１４、第２ハンドセット１１４、第１フックボタンまたは第２フックボタンを操作することによって、閉結状態から開放状態、または開放状態から閉結状態に切換えることができる。
【００６０】
図３は、第１ＲＡＭ１６に記憶された宛先情報を模式的に示す図である。宛先情報は、各送信先毎に付与される管理番号を表す管理番号情報３１と、管理番号情報３１に１対１に関係付けられる個人情報３２とを含んで構成される。個人情報３２は、送信先の名前を漢字で表した名前情報３３と、送信先の名前を仮名で表した仮名情報３４と、送信先の電話番号を表す電話番号情報３５と、送信先の電子メールアドレスを表すメールアドレス情報３６とによって構成される。
【００６１】
通信装置１の利用者が、親機２の第１入力手段１７を操作することによって宛先情報を入力すると、第１制御手段４は、宛先情報を第１ＲＡＭ１６に記憶させるとともに、第１コードレス通信手段１１を制御して、入力された宛先情報を子機３に送信する。親機２から送信された宛先情報を、子機３が受信すると、第２制御手段１０４は、受信した宛先情報を第２ＲＡＭ１１６に記憶させる。また、通信装置１の利用者が、子機３の第２入力手段１１７を操作することによって宛先情報を入力した場合には、第２制御手段１０４は、第２ＲＡＭ１１６に宛先情報を記憶させるとともに、第２コードレス通信手段１１１を制御して、入力された宛先情報を、無線通信によって親機２に送信する。子機３から送信される宛先情報を親機２が受信すると、第１制御手段４は、受信した宛先情報を第１ＲＡＭ１６に記憶させる。
【００６２】
図４は、通信装置１が、回線状態に基づいて送信先に画像情報を送信する処理を表すフローチャートである。通信装置１の利用者が、第１入力手段１７を操作することによって、第１表示手段７に送信先を選択する送信先選択画面が表示されると、ステップａ０からステップａ１に移る。
【００６３】
通信装置１の利用者は、第１表示手段７によって表示される送信先選択画面を確認しながら、第１入力手段１７を操作することによって、画像情報を送信すべき送信先を指定する送信先指定情報を通信装置１に入力する。
【００６４】
ステップａ１では、第１制御手段４は、送信先指定情報が入力されたか否かを判断する。第１制御手段４は、送信先指定情報が入力されていないと判断した場合には、ステップａ１を繰返す。第１制御手段４は、送信先指定情報が入力されたと判断した場合には、送信先指定情報を取得してステップａ２に移る。
【００６５】
ステップａ２では、第１制御手段４は、第１通信開始キーが押下げられたか否かを判断する。第１制御手段４は、第１通信開始キーが押下げられていないと判断した場合には、ステップａ２を繰返す。第１通信開始キーが押下げられたと判断した場合には、ステップａ３に移る。
【００６６】
ステップａ３では、第１制御手段４は、第１ＲＡＭ１６に記憶された回線状態情報を読み出し、閉結状態であるか否かを判断する。閉結状態であると判断した場合には、ステップａ４に移る。
【００６７】
ステップａ４では、第１制御手段４は、ステップａ１において取得した送信先指定情報に基づいて、第１ＲＡＭ１６に記憶された送信先の電話番号情報３５を読み出し、ステップａ５に移る。
【００６８】
ステップａ５では、第１制御手段４は、ステップａ４において読み出した電話番号情報３５に基づいて、電話回線通信手段１２を制御して第１ＲＡＭ１６に記憶された画像情報を、公衆電話回線網を介して送信先に送信させ、ステップａ６に移り、画像情報を送信する処理を終了する。
【００６９】
ステップａ３において、第１制御手段４が、閉結状態ではない、つまり開放状態と判断した場合には、ステップａ７に移る。ステップａ７では、第１制御手段４は、ステップａ１において取得した送信先指定情報に基づいて、第１ＲＡＭ１６に記憶された送信先のメールアドレス情報３６を読み出してステップａ８に移る。
【００７０】
ステップａ８では、第１制御手段４は、ステップａ７において読み出したメールアドレス情報３６に基づいて、インターネット通信手段１３を制御して第１ＲＡＭ１６に記憶された画像情報を、インターネット通信網を介して送信先に送信させ、ステップａ６に移る。ステップａ６では、画像情報を送信する処理を終了する。
【００７１】
以上述べたように、利用者が送信先指定情報を入力し、第１通信開始キーを押下げると、通信装置１は、回線状態が閉結状態であるのか開放状態であるのかに応じて、公衆電話回線網およびインターネット通信網の２つの通信網のうち、いずれか一方を介して送信先に画像情報を送信する。回線状態は、利用者が第１ハンドセット１４、第２ハンドセット１１４、第１フックボタンまたは第２フックボタンを操作することによって自由に切換えることができる。したがって、利用者は、公衆電話回線網およびインターネット通信網の２つの通信網のうち、いずれを介して送信先に画像情報を送信するのかを、回線状態を切換える操作を行うことによって自由に選択することができる。これによって、公衆電話回線網およびインターネット通信網の２つの通信網のうち、いずれを介して画像情報を送信すべきかを、宛先情報を登録するときに予め設定しておく必要がなくなり、利用者の利便性を向上することができる。
【００７２】
本発明の他の実施の形態では、通信装置１は、第１オンフック状態であるのか第１オフフック状態であるのかに基づいて、公衆電話回線網およびインターネット通信網のうちいずれかを介して送信先に画像情報を送信する。
【００７３】
図５は、通信装置１が、第１オンフック状態であるのか第２オフフック状態であるのかに基づいて、送信先に画像情報を送信する処理を表すフローチャートである。初期状態のときに、通信装置１の利用者が第１入力手段１７を操作することによって、第１表示手段７に送信先を選択する送信先選択画面が表示され、利用者が送信先を指定する送信先指定情報を入力する操作を開始すると、ステップｂ０からステップｂ１に移る。以下の処理中において、利用者は、第２オフフック状態にする、または第１フックボタンを押下げる、または第２フックボタンを押下げる操作を行わないものとする。
【００７４】
通信装置１の利用者は、第１表示手段７によって表示される送信先選択画面を確認しながら、第１入力手段１７を操作することによって、画像情報を送信すべき送信先を表す送信先指定情報を通信装置１に入力する。
【００７５】
ステップｂ１では、第１制御手段４は、送信先指定情報が入力されたか否かを判断する。第１制御手段４は、送信先指定情報が入力されていないと判断した場合には、ステップｂ１を繰返す。第１制御手段４は、送信先指定情報が入力されたと判断した場合には、送信先指定情報を取得してステップｂ２に移る。
【００７６】
ステップｂ２では、第１制御手段４は、第１通信開始キーが押下げられたか否かを判断する。第１制御手段４は、第１通信開始キーが押下げられていないと判断した場合には、ステップｂ２を繰返す。第１通信開始キーが押下げられたと判断した場合には、ステップｂ３に移る。
【００７７】
ステップｂ３では、第１制御手段４は、第１ＲＡＭ１６に記憶された第１センサ手段２１の検出結果を読み出し、第１ハンドセット１４が第１オフフック状態であるのか否かを判断する。第１オフフック状態であると判断した場合には、ステップｂ４に移る。
【００７８】
ステップｂ４では、第１制御手段４は、ステップｂ１において取得した送信先指定情報に基づいて、第１ＲＡＭ１６に記憶された送信先の電話番号情報３５を読み出し、ステップｂ５に移る。
【００７９】
ステップｂ５では、第１制御手段４は、ステップｂ４において読み出した電話番号情報３５に基づいて、電話回線通信手段１２を制御して第１ＲＡＭ１６に記憶された画像情報を、公衆電話回線網を介して送信先に送信させ、ステップｂ６に移り、画像情報を送信する処理を終了する。
【００８０】
ステップｂ３において、第１制御手段４が第１オフフック状態でない、つまり第１オンフック状態であると判断した場合には、ステップｂ７に移る。ステップｂ７では、第１制御手段４は、ステップｂ１において取得した送信先指定情報に基づいて、第１ＲＡＭ１６に記憶された送信先のメールアドレス情報３６を読み出してステップｂ８に移る。
【００８１】
ステップｂ８では、第１制御手段４は、ステップｂ７において読み出したメールアドレス情報３６に基づいて、インターネット通信手段１３を制御して第１ＲＡＭ１６に記憶された画像情報を、インターネット通信網を介して送信先に送信させ、ステップｂ６に移る。ステップｂ６では、画像情報を送信する処理を終了する。
【００８２】
以上述べたように、利用者が送信先指定情報を入力し、第１通信開始キーを押下げると、通信装置１は、第１ハンドセット１４が第１オンフック状態であるのか第１オフフック状態であるのかに応じて、公衆電話回線網およびインターネット通信網の２つの通信網のうち、いずれか一方を介して送信先に画像情報を送信する。第１オンフック状態と第１オフフック状態とは、利用者が第１ハンドセットを第１載置台に載置するか、第１載置台から取り上げるかという簡易な行為によって切換えることができる。したがって、利用者は、公衆電話回線網およびインターネット通信網の２つの通信網のうち、いずれを介して送信先に画像情報を送信するのかを、第１ハンドセットを第１載置台に載置するか、第１載置台から取り上げるかという簡易な行為によって自由に選択することができる。これによって、公衆電話回線網およびインターネット通信網の２つの通信網のうち、いずれを介して画像情報を送信すべきかを、利用者は容易に選択することができ、利用者の利便性を向上することができる。
【００８３】
本発明の他の実施の形態では、通信装置１は、第１フックボタンの押下回数に基づいて、公衆電話回線網およびインターネット通信網のいずれかを介して送信先に画像情報を送信する。
【００８４】
第１制御手段４は、初期状態のときに第１フックボタンが押下げられると、第１ＲＡＭ１６に第１フックボタン押下情報として数値「１」を記憶させる。また第１制御手段４は、第１フックボタン押下情報が数値「１」のときに第１フックボタンが押下げられると、第１ＲＡＭ１６に第１フックボタン押下情報として数値「０」を記憶させる。
【００８５】
図６は、通信装置１が、第１フックボタンの押下回数に基づいて送信先に画像情報を送信する処理を表すフローチャートである。初期状態のときに、通信装置１の利用者が第１入力手段１７を操作することによって、第１表示手段７に送信先を選択する送信先選択画面が表示され、利用者が送信先を指定する送信先指定情報を入力する操作を開始すると、ステップｃ０からステップｃ１に移る。以下の処理中において、利用者は、第１オフフック状態にする、または第２オフフック状態にする、または第２フックボタンを押下げる操作を行わないものとする。
【００８６】
通信装置１の利用者は、第１表示手段７によって表示される送信先選択画面を確認しながら、第１入力手段１７を操作することによって、画像情報を送信すべき送信先を表す送信先指定情報を通信装置１に入力する。
【００８７】
ステップｃ１では、第１制御手段４は、送信先指定情報が入力されたか否かを判断する。第１制御手段４は、送信先指定情報が入力されていないと判断した場合には、ステップｃ１を繰返す。第１制御手段４は、送信先指定情報が入力されたと判断した場合には、送信先指定情報を取得してステップｃ２に移る。
【００８８】
ステップｃ２では、第１制御手段４は、第１通信開始キーが押下げられたか否かを判断する。第１制御手段４は、第１通信開始キーが押下げられていないと判断した場合には、ステップｃ２を繰返す。第１制御手段４は、第１通信開始キーが押下げられたと判断した場合には、ステップｃ３に移る。
【００８９】
ステップｃ３では、第１制御手段４は、第１ＲＡＭ１６に記憶された第１フックボタン押下情報を読み出し、利用者が送信先指定情報を入力する操作を開始してから、第１フックボタンが奇数回押下げられたか否かを判断する。利用者が送信先指定情報を入力する操作を開始してから、第１フックボタンが奇数回押下げられたと判断した場合、つまり、第１ＲＡＭ１６に第１フックボタン押下情報として数値「１」が記憶されている場合には、ステップｃ４に移る。
【００９０】
ステップｃ４では、第１制御手段４は、ステップｃ１において取得した送信先指定情報に基づいて、第１ＲＡＭ１６に記憶された送信先の電話番号情報３５を読み出し、ステップｃ５に移る。
【００９１】
ステップｃ５では、第１制御手段４は、ステップｃ４において読み出した電話番号情報３５に基づいて、電話回線通信手段１２を制御して第１ＲＡＭ１６に記憶された画像情報を、公衆電話回線網を介して送信先に送信させ、ステップｃ６に移り、画像情報を送信する処理を終了する。
【００９２】
ステップｃ３において、第１制御手段４が、利用者が送信先指定情報を入力する操作を開始してから、第１フックボタンが偶数回押下げられたと判断した場合、または利用者が送信先指定情報を入力する操作を開始してから、第１フックボタンが一度も押下げられていないと判断した場合には、ステップｃ７に移る。具体的には、第１ＲＡＭ１６に第１フックボタン押下情報として数値「０」が記憶されている場合には、ステップｃ７に移る。ステップｃ７では、第１制御手段４は、ステップｃ１において取得した送信先指定情報に基づいて、第１ＲＡＭ１６に記憶された送信先のメールアドレス情報３６を読み出してステップｃ８に移る。
【００９３】
ステップｃ８では、第１制御手段４は、ステップｃ７において読み出したメールアドレス情報３６に基づいて、インターネット通信手段１３を制御して第１ＲＡＭ１６に記憶された画像情報を、インターネット通信網を介して送信先に送信させ、ステップｃ６に移る。ステップｃ６では、画像情報を送信する処理を終了する。
【００９４】
以上述べたように、利用者が送信先指定情報を入力し、第１通信開始キーを押下げると、通信装置１は、利用者が送信先指定情報を入力する操作を開始してから第１通信開始キーを押下げるまでに何度第１フックボタンを押下げたのかに応じて、公衆電話回線網およびインターネット通信網の２つの通信網のうち、いずれか一方を介して送信先に画像情報を送信する。したがって、利用者は、公衆電話回線網およびインターネット通信網の２つの通信網のうち、いずれを介して送信先に画像情報を送信するのかを、第１フックボタンを押下げるという簡易な行為によって自由に選択することができる。これによって、公衆電話回線網およびインターネット通信網の２つの通信網のうち、いずれを介して画像情報を送信すべきかを、利用者は容易に選択することができ、利用者の利便性を向上することができる。
【００９５】
本発明の他の実施の形態では、通信装置１は、子機３が第２オンフック状態であるのか第２オフフック状態であるのかに基づいて、公衆電話回線網およびインターネット通信網のいずれかを介して送信先に画像情報を送信する。
【００９６】
図７は、通信装置１が、第２オンフック状態であるのか第２オフフック状態であるのかに基づいて、送信先に画像情報を送信する処理を表すフローチャートである。初期状態のときに、通信装置１の利用者が子機３の第２入力手段１１７を操作することによって、第２表示手段１０７に送信先を選択する送信先選択画面が表示され、利用者が送信先を指定する送信先指定情報を入力する操作を開始すると、ステップｄ０からステップｄ１に移る。以下の処理中において、利用者は、第１オフフック状態にする、または第１フックボタンを押下げる、または第２フックボタンを押下げる操作を行わないものとする。
【００９７】
通信装置１の利用者は、第２表示手段１０７によって表示される送信先選択画面を確認しながら、第２入力手段１１７を操作することによって、画像情報を送信すべき送信先を表す送信先指定情報を通信装置１に入力する。
【００９８】
ステップｄ１では、子機３の第２制御手段１０４は、送信先指定情報が入力されたか否かを判断する。第２制御手段１０４は、送信先指定情報が入力されていないと判断した場合には、ステップｄ１を繰返す。第２制御手段１０４は、送信先指定情報が入力されたと判断した場合には、送信先指定情報を取得してステップｄ２に移る。
【００９９】
ステップｄ２では、第２制御手段１０４は、子機３の第２コードレス通信手段１１１を制御して、ステップｄ１において取得した送信先指定情報を、親機２に送信してステップｄ３に移る。
【０１００】
ステップｄ３では、親機２の第１コードレス通信手段１１は、子機３から送信された送信先指定情報を受信し、受信した送信先指定情報を第１制御手段４に与えてステップｄ４に移る。
【０１０１】
ステップｄ４では、第２制御手段１０４は、第２通信開始キーが押下げられたか否かを判断する。第２制御手段１０４は、第２通信開始キーが押下げられていないと判断した場合には、ステップｄ４を繰返す。第２制御手段１０４は、第２通信開始キーが押下げられたと判断した場合には、ステップｄ５に移る。
【０１０２】
ステップｄ５では、第２制御手段１０４は、第２コードレス通信手段１１１を制御して、第２通信開始キーが押下げられたことを表す情報を親機２に送信し、ステップｄ６に移る。
【０１０３】
ステップｄ６では、親機２の第１コードレス通信手段１１は、子機３から送信された第２操作キーが押下げられたことを表す情報を受信し、受信した情報を第１制御手段４に与え、ステップｄ７に移る。
【０１０４】
ステップｄ７では、第１制御手段４は、第１ＲＡＭ１６に記憶された第２センサ手段１２１の検出結果を読み出し、第２ハンドセット１１４が第２オフフック状態であるのか否かを判断する。第２オフフック状態であると判断した場合には、ステップｄ１８に移る。
【０１０５】
ステップｄ１８では、第１制御手段４は、ステップｄ３において第２コードレス通信手段１１１から与えられた送信先指定情報に基づいて、第１ＲＡＭ１６に記憶された送信先の電話番号情報３５を読み出し、ステップｄ１９に移る。
【０１０６】
ステップｄ１９では、第１制御手段４は、ステップｄ１８において読み出した電話番号情報３５に基づいて、電話回線通信手段１２を制御して第１ＲＡＭ１６に記憶された画像情報を、公衆電話回線網を介して送信先に送信させ、ステップｄ１０に移り、画像情報を送信する処理を終了する。
【０１０７】
ステップｄ７において、第１制御手段４が、第２ハンドセット１１４が第２オフフック状態でない、つまり第２オンフック状態であると判断すると、ステップｄ１１に移る。ステップｄ１１では、第１制御手段４は、ステップｄ３において第２コードレス通信手段１１１から与えられた送信先指定情報に基づいて、第１ＲＡＭ１６に記憶された送信先のメールアドレス情報３６を読み出し、ステップｄ１２に移る。
【０１０８】
ステップｄ１２では、第１制御手段４は、ステップｄ１１において読み出したメールアドレス情報３６に基づいて、インターネット通信手段１３を制御して第１ＲＡＭ１６に記憶された画像情報を、インターネット通信網を介して送信先に送信させ、ステップｄ１０に移る。ステップｄ１０では、画像情報を送信する処理を終了する。
【０１０９】
以上述べたように、利用者が送信先指定情報を入力し、第２通信開始キーを押下げると、通信装置１は、第２ハンドセット１１４が第２オンフック状態であるのか第２オフフック状態であるのかに応じて、公衆電話回線網およびインターネット通信網の２つの通信網のうち、いずれか一方を介して送信先に画像情報を送信する。第２オンフック状態と第２オフフック状態とは、利用者が第２ハンドセット１１４を第２載置台に載置するか、第２載置台から第２ハンドセット１１４を取り上げるかという簡易な行為によって切換えることができる。したがって、利用者は、公衆電話回線網およびインターネット通信網の２つの通信網のうち、いずれを介して送信先に画像情報を送信するのかを、第２ハンドセット１１４を第２載置台に載置するか、第２載置台から第２ハンドセット１１４を取り上げるかという簡易な行為によって自由に選択することができる。これによって、公衆電話回線網およびインターネット通信網の２つの通信網のうち、いずれを介して画像情報を送信すべきかを、利用者は容易に選択することができ、利用者の利便性を向上することができる。
【０１１０】
また、第２ハンドセット１１４が第２オンフック状態であるのか第２オフフック状態であるのかを表す第２フック状態情報は、子機３から無線通信によって親機２に送信される。したがって、利用者は、親機２から離れた場所において第２ハンドセット１１４を第２載置台に載置するか、第２載置台から第２ハンドセット１１４を取り上げるという操作を行うことによって、公衆電話回線網およびインターネット通信網の２つの通信網のうち、いずれを介して画像情報を送信すべきかを選択することができる。これによって、利用者は、親機２から離れた場所から公衆電話回線網およびインターネット通信網の２つの通信網のうち、いずれを介して画像情報を送信すべきかを選択することができ、利用者の利便性を向上することができる。
【０１１１】
本発明の他の実施の形態では、通信装置１は、第２フックボタンの押下回数に基づいて、公衆電話回線網およびインターネット通信網のいずれかを介して送信先に画像情報を送信する。
【０１１２】
第１制御手段４は、子機３から送信される第２センサ手段１２１の検出結果に基づいて、初期状態のときに第２フックボタンが押下げられると、第２ＲＡＭ１１６に第２フックボタン押下情報として数値「１」を記憶させる。また第１制御手段４は、第２フックボタン押下情報が数値「１」のときに第２フックボタンが押下げられると、第１ＲＡＭ１６に第２フックボタン押下情報として数値「０」を記憶させる。
【０１１３】
図８は、通信装置１が、第２フックボタンの押下回数に基づいて送信先に画像情報を送信する処理を表すフローチャートである。初期状態のときに、通信装置１の利用者が子機３の第２入力手段１１７を操作することによって、第２表示手段１０７に送信先を選択する送信先選択画面が表示され、利用者が送信先を指定する送信先指定情報を入力する操作を開始すると、ステップｅ０からステップｅ１に移る。以下の処理中において、利用者は、第１オフフック状態にする、または第２オフフック状態にする、または第１フックボタンを押下げる操作を行わないものとする。
【０１１４】
通信装置１の利用者は、第２表示手段１０７によって表示される送信先選択画面を確認しながら、第２入力手段１１７を操作することによって、画像情報を送信すべき送信先を表す送信先指定情報を通信装置１に入力する。
【０１１５】
ステップｅ１では、子機３の第２制御手段１０４は、送信先指定情報が入力されたか否かを判断する。第２制御手段１０４は、送信先指定情報が入力されていないと判断した場合には、ステップｅ１を繰返す。第２制御手段１０４は、送信先指定情報が入力されたと判断した場合には、入力された送信先指定情報を取得してステップｅ２に移る。
【０１１６】
ステップｅ２では、第２制御手段１０４は、第２コードレス通信手段１１１を制御して、ステップｅ１において取得した送信先指定情報を親機２に送信してステップｅ３に移る。
【０１１７】
ステップｅ３では、親機２の第１コードレス通信手段１１は、子機３から与えられた送信先指定情報を受信し、受信した送信先指定情報を親機２の第１制御手段４に与えて、ステップｅ４に移る。
【０１１８】
ステップｅ４では、第２制御手段１０４は、子機３の第２通信開始キーが押下げられたか否かを判断する。第２制御手段１０４は、第２通信開始キーが押下げられていないと判断した場合には、ステップｅ４を繰返す。第２制御手段１０４は、第２通信開始キーが押下げられたと判断した場合には、ステップｅ５に移る。
【０１１９】
ステップｅ５では、第２制御手段１０４は、子機３の第２コードレス通信手段１１１を制御して、第２通信開始キーが押下げられたことを表す情報を親機２に無線通信によって送信し、ステップｅ６に移る。
【０１２０】
ステップｅ６では、親機２の第１コードレス通信手段１１は、第２コードレス通信手段１１１から送信された第２通信開始キーが押下げられたことを表す情報を受信し、親機２の第１制御手段４に与える。
【０１２１】
ステップｅ７では、第１制御手段４は、第１ＲＡＭ１６に記憶された第２フックボタン押下情報を読み出し、利用者が送信先指定情報を入力する操作を開始してから、第２フックボタンが奇数回押下げられたか否かを判断する。利用者が送信先指定情報を入力する操作を開始してから、第２フックボタンが奇数回押下げられたと判断した場合、つまり、第１ＲＡＭ１６に第２フックボタン押下情報として数値「１」が記憶されている場合には、ステップｅ８に移る。
【０１２２】
ステップｅ８では、第１制御手段４は、ステップｅ３において第１コードレス通信手段１１から与えられた送信先指定情報に基づいて、第１ＲＡＭ１６に記憶された送信先の電話番号情報３５を読み出してステップｅ９に移る。
【０１２３】
ステップｅ９では、第１制御手段４は、ステップｅ９において読み出した電話番号情報３５に基づいて、電話回線通信手段１２を制御して第１ＲＡＭ１６に記憶された画像情報を、公衆電話回線網を介して送信先に送信し、ステップｅ１０に移り、画像情報を送信する処理を終了する。
【０１２４】
ステップｅ７において、第１制御手段４が、利用者が送信先指定情報を入力する操作を開始してから、第２フックボタンが偶数回押された、または利用者が送信先指定情報を入力する操作を開始してから、第２フックボタンが１度も押下げられていないと判断した場合には、ステップｅ１１に移る。具体的には、第１ＲＡＭ１６に第２フックボタン押下情報として数値「０」が記憶されている場合には、ステップｅ１１に移る。
【０１２５】
ステップｅ１１では、第１制御手段４は、ステップｅ３において第１コードレス通信手段１１から与えられた送信先指定情報に基づいて、第１ＲＡＭ１６に記憶された送信先のメールアドレス情報３６を読み出してステップｅ１２に移る。
【０１２６】
ステップｅ１２では、第１制御手段４は、ステップｅ１１において読み出したメールアドレス情報３６に基づいて、インターネット通信手段１３を制御して第１ＲＡＭ１６に記憶された画像情報を、インターネット通信網を介して送信先に送信させ、ステップｅ１０に移る。ステップｅ１０では、画像情報を送信する処理を終了する。
【０１２７】
以上述べたように、利用者が送信先指定情報を入力し、第２通信開始キーを押下げると、通信装置１は、利用者が送信先指定情報を入力する操作を開始してから第２通信開始キーを押下げるまでに何度第２フックボタンを押下げたのかに応じて、公衆電話回線網およびインターネット通信網の２つの通信網のうち、いずれか一方を介して送信先に画像情報を送信する。したがって、利用者は、公衆電話回線網およびインターネット通信網の２つの通信網のうち、いずれを介して送信先に画像情報を送信するのかを、第２フックボタンを押下げるという簡易な行為によって自由に選択することができる。これによって、公衆電話回線網およびインターネット通信網の２つの通信網のうち、いずれを介して画像情報を送信すべきかを、利用者は容易に選択することができ、利用者の利便性を向上することができる。
【０１２８】
また、第２フックボタンが押下げられたことを表す第２フックボタン押下情報は、子機３から無線通信によって親機２に送信される。したがって、利用者は、親機２から離れた場所において第２フックボタンを押下げる操作を行うことによって、公衆電話回線網およびインターネット通信網の２つの通信網のうち、いずれを介して画像情報を送信すべきかを選択することができる。これによって、利用者は、親機２から離れた場所から公衆電話回線網およびインターネット通信網の２つの通信網のうち、いずれを介して画像情報を送信すべきかを選択することができ、利用者の利便性を向上することができる。
【０１２９】
前述した各実施の形態の通信装置１では、利用者が第１フックボタンまたは第２フックボタンを押下げることによって回線状態を切換えるとしたけれども、回線状態を切換えるためには、利用者が各フックボタンを押下げる行為に限らず、たとえば、利用者がスライドスイッチをスライドさせたり、ボタンを引き上げることによって、回線状態を切換えるようにしてもよい。
【図面の簡単な説明】
【０１３０】
【図１】本発明の実施の一形態の通信装置１の親機２の電気的な構成を示すブロック図である。
【図２】本発明の実施の一形態の通信装置１の子機３の電気的な構成を示すブロック図である。
【図３】第１ＲＡＭ１６に記憶された宛先情報を模式的に示す図である。
【図４】回線状態に基づいて送信先に画像情報を送信する処理を表すフローチャートである。
【図５】通信装置１が、第１オンフック状態であるのか第２オフフック状態であるのかに基づいて、送信先に画像情報を送信する処理を表すフローチャートである。
【図６】通信装置１が、第１フックボタンの押下回数に基づいて送信先に画像情報を送信する処理を表すフローチャートである。
【図７】通信装置１が、第２オンフック状態であるのか第２オフフック状態であるのかに基づいて、送信先に画像情報を送信する処理を表すフローチャートである。
【図８】通信装置１が、第２フックボタンの押下回数に基づいて送信先に画像情報を送信する処理を表すフローチャートである。
【符号の説明】
【０１３１】
１  通信装置
２  親機
３  子機
４  第１制御手段
１１  第１コードレス通信手段
１２  電話回線通信手段
１３  インターネット通信手段
１４  第１ハンドセット
２１  第１センサ手段
２３  ファクシミリ制御手段
２６  回線状態検出部
２７  第１載置状態検出部
２８  第１フックボタン検出部
１０４  第２制御手段
１１１  第２コードレス通信手段
１１４  第２ハンドセット
１２１  第２センサ手段
１２７  第２載置状態検出部
１２８  第２フックボタン検出部
【図１】
0004488972.tif 000002
【図２】
0004488972.tif 000003
【図３】
0004488972.tif 000004
【図４】
0004488972.tif 000005
【図５】
0004488972.tif 000006
【図６】
0004488972.tif 000007
【図７】
0004488972.tif 000008
【図８】
0004488972.tif 000009